(57)【要約】身体を流れる及び身体から流れ出る血流を制限する圧力制御装置で、身体に取り付ける弓状部分を含んでいる。弓状部分の一端は締め付け用のフックを有し、反対側端部のバックルにかける。メカニカルアドバンテージを有する動力装置は弓状部分に接続され、ターンキーを回転して身体にかかる圧力を調節する。装置はストラップで身体に周方向に締め付け、ロック器具で閉じる。【課題】負傷した付属肢と心臓の間に圧力を加えて血流を制限するために、迅速で容易に装着できるメカニカルアドバンテージを有する新しい形式の止血帯を提供する。【解決手段】装置は主要な及び補助的な締め付け器具を有し、弓状部分及び補助的な締め付け器具を付属肢の周囲に配置し、補助的な締め付け器具を付属肢にきつく締まるまで引き、ロック器具で固定する。主要な締め付け器具を回転出来なくなるまで回転し、付属肢に必要な圧力を加える。【選択図】図３
2007508047.tif 000002
【特許請求の範囲】
【請求項１】
身体の一部を流れる及び身体の一部から流れ出る血流を制限するための圧力制御装置であって、
前記身体の一部に装着するための、第１の端部及び反対側の第２の端部を有する、少なくとも１つの弓状部分と、
前記装置が前記身体の一部に及ぼす圧力を調節するために、前記少なくとも１つの弓状部分上に取り付けられた主要な締め付け器具と、
前記装置を前記身体の一部に対して周方向に締め付けるために、前記弓状部分上に配置された補助的な締め付け器具と、
前記少なくとも１つの弓状部分に機能的に接続された、前記身体の一部に装着された前記装置を閉じるためのロック器具とを備えることを特徴とする装置。
【請求項２】
前記主要な締め付け器具がメカニカルアドバンテージを有する動力装置を含むことを特徴とする請求項１に記載の圧力制御装置。
【請求項３】
前記メカニカルアドバンテージを有する動力装置が、滑車、紐を通す孔列、紐を掛ける柱列、糸巻き、歯車、レバー、ホイール及びカムからなる群から選択されるシステムを含むことを特徴とする請求項２に記載の圧力制御装置。
【請求項４】
前記主要な締め付け器具が、前記装置が使用される時にメカニカルアドバンテージを提供するべく、紐巻き取り器具を備えたメカニカルアドバンテージを有する動力装置を含むことを特徴とする請求項１に記載の圧力制御装置。
【請求項５】
前記メカニカルアドバンテージを有する動力装置が、前記巻き取り器具を回転させるべく回転及び傾動が可能なターンキーを含むことを特徴とする請求項４に記載の圧力制御装置。
【請求項６】
前記ターンキーが、粗い面を有する把手を含むことを特徴とする請求項５に記載する圧力制御装置。
【請求項７】
前記補助的な締め付け器具が、前記付属肢の周囲を囲む細長いストラップを含むことを特徴とする請求項１に記載の圧力制御装置。
【請求項８】
前記細長いストラップが、ナイロン材料を含むことを特徴とする請求項７に記載の圧力制御装置。
【請求項９】
前記細長いストラップが、一方の端部に、前記細長いストラップをしっかりと把持するための把持部を含むことを特徴とする請求項１に記載の圧力制御装置。
【請求項１０】
前記ロック器具が、前記補助的な締め付け器具を前記装置の周方向に沿って固定するべく、前記少なくとも１つの弓状部分の前記第２の端部にて傾動するロックレバーを含むことを特徴とする請求項１に記載の圧力制御装置。
【請求項１１】
前記ロックレバーが、前記少なくとも１つの弓状部分の前記第２の端部にスナップフィットすることを特徴とする請求項１０に記載の圧力制御装置。
【請求項１２】
前記少なくとも１つの弓状部分が、フレキシブルな高分子材料を含むことを特徴とする請求項１に記載の圧力制御装置。
【請求項１３】
前記フレキシブルな高分子材料が、アセタール、ナイロン、ポリプロピレン、及びポリエチレンからなる群から選択される材料を含むことを特徴とする請求項１２に記載の圧力制御装置。
【請求項１４】
前記装置が、前記主要な締め付け器具の一部を取り囲むカバーを含むことを特徴とする請求項１に記載の圧力制御装置。
【請求項１５】
前記カバーが、伸縮可能なベローズを含むことを特徴とする請求項１４に記載の圧力制御装置。
【請求項１６】
前記少なくとも１つの弓状部分が、フレキシブルな高分子材料を含むことを特徴とする請求項１４に記載の圧力制御装置。
【請求項１７】
前記装置が、暗い場所での確認のため、発光性のあるマーキングを含むことを特徴とする請求項１に記載の圧力制御装置。
【請求項１８】
前記装置が、耐候性であることを特徴とする請求項１に記載の圧力制御装置。
【請求項１９】
前記装置が、水中に沈みづらいことを特徴とする請求項１に記載の圧力制御装置。
【請求項２０】
前記少なくとも１つの弓状部分が、一体成形されたＣ形クリップを含むことを特徴とする請求項１に記載の圧力制御装置。
【請求項２１】
前記Ｃ形クリップが、前記ロック器具と機能的に接続され、かつ前記Ｃ形クリップと一体をなす留め具を含むことを特徴とする請求項２０に記載の圧力制御装置。
【請求項２２】
前記留め具が、フックを含むことを特徴とする請求項２１に記載の圧力制御装置。
【請求項２３】
前記ロック器具が、バックルを含むことを特徴とする請求項２２に記載の圧力制御装置。
【請求項２４】
前記主要な締め付け器具が、前記少なくとも１つの弓状部分と一体になったハウジングを含むことを特徴とする請求項１に記載の圧力制御装置。
【請求項２５】
前記メカニカルアドバンテージを有する動力装置が、リリースボタンを含むことを特徴とする請求項２に記載の圧力制御装置。
【請求項２６】
前記少なくとも１つの弓状部分が、前記身体の一部を掴むべく内側表面に複数の突起を含むことを特徴とする請求項１に記載の圧力制御装置。
【請求項２７】
前記突起が、凹凸を備えた表面を形成することを特徴とする請求項２６に記載の圧力制御装置。
【請求項２８】
前記メカニカルアドバンテージを有する動力装置が、前期身体の一部を前記圧力で締め付けるため、前記少なくとも１つの弓状部分に取り付けられたプラテン器具及び紐巻き取り器具を連結する複数の紐を含むことを特徴とする請求項２に記載の圧力制御装置。
【請求項２９】
前記装置が、止血帯を含むことを特徴とする請求項１に記載の圧力制御装置。
【請求項３０】
圧力制御装置によって、身体の一部を流れる及び身体の一部から流れ出る血流を制限する方法であって、
前記身体の一部に装着するための、第１の端部及び反対側の第２の端部を有する、少なくとも１つの弓状部分と、
前記身体の一部に装着された前記装置の圧力を調節するために、前記少なくとも１つの弓状部分上に取り付けられた、ターンキーを有する主要な締め付け器具と、
前記装置を前記身体の一部に対して周方向に締め付けるために、前記弓状部分の少なくとも一部に配置された補助的な締め付け器具と、
前記少なくとも１つの弓状部分に機能的に接続された、前記身体の一部に装着された前記装置を閉じるためのロック器具とを備える圧力制御装置を使用し、
治療のために前記少なくとも１つの弓状部分及び前記補助的な締め付け器具を身体の一部の周囲に配置し、
前記補助的な締め付け器具を前記ロック器具に、前記少なくとも１つの弓状部分の第２の端部の上で通し、
前記ロック器具を前記少なくとも１つの弓状部分の前記第２の端部で留めるべく取り付け、
前記補助的な締め付け器具を、前記少なくとも１つの弓状部分の表面に接する方向に、前記補助的な締め付け器具が身体の一部にきつく締まるまで引っ張り、
前記ターンキーを水平位置から垂直位置に起こし、
前記ターンキーを所定の方向に、前記主要な締め付け器具が回転出来なくなるまで回転し、
前記ターンキーを水平位置に折り畳むという手順からなることを特徴とする方法。
【請求項３１】
前記ターンキーを所定の方向に回転する前記手順が、ターンキーが時計回りに回転することを含むことを特徴とする請求項３０に記載の方法。
【請求項３２】
前記ターンキーを回転する前記手順が、前記主要な締め付け器具の紐巻き取り器具が回転できなくなるまで回転することを含むことを特徴とする請求項３０に記載の方法。
【請求項３３】
前記ターンキーを回転する前記手順が、メカニカルアドバンテージを与えるべく、前記補助的な締め付け装置の第１の端部を前記ロック器具の方に引き寄せることを含むことを特徴とする請求項３２記載の方法。
【請求項３４】
前記ロック器具を取り付ける前記手順が、前記補助的な締め付け器具を所定の位置で固定するべく、前記ロック器具のロックレバーを下向きに、前記補助的な締め付け器具上に押し倒すことを含むことを特徴とする請求項３０に記載の方法。
【請求項３５】
圧力制御装置によって、身体の一部を流れる及び身体の一部から流れ出る血流を制限するための方法であって、
前記身体の一部に装着するための、第１の端部及び反対側の第２の端部を有する、少なくとも１つの弓状部分と、
前記装置を前記身体の一部に対して周方向に締め付けるために、前記少なくとも１つの弓状部分に取り付けられた、ターンキーを有する主要な締め付け器具と、
前記身体の一部に装着された前記装置の周辺の圧力を調節するために、前記弓状部分の少なくとも一部に配置された補助的な締め付け器具と、
前記少なくとも１つの弓状部分に機能的に接続された、前記身体の一部に装着された前記装置を閉じるためのロック器具とを備える圧力制御装置を使用し、
治療のために前記少なくとも１つの弓状部分及び前記補助的な締め付け器具を身体の一部の周囲に配置し、
前記ロック器具を、前記少なくとも１つの弓状部分の前記第１の端部に掛合し、
前記補助的な締め付け器具を、前記少なくとも１つの弓状部分の表面に接する方向に、身体の一部にきつく締まるまで引っ張り、
前記ターンキーを水平位置から垂直位置に起こし、
前記ターンキーを所定の方向に、前記主要な締め付け器具が回転出来なくなるまで回転し、
前記ターンキーを水平位置に折り畳むという手順からなることを特徴とする方法。
【請求項３６】
前記ターンキーを所定の方向に回転する前記手順が、前記ターンキーが時計回りに回転することを含むことを特徴とする請求項３５に記載の方法。
【請求項３７】
前記ターンキーを回転する前記手順が、前記主要な締め付け器具の紐巻き取り器具が回転できなくなるまで回転することを含むことを特徴とする請求項３５に記載の方法。
【請求項３８】
前記ターンキーを回転する手順が、メカニカルアドバンテージを与えるべく、前記補助的な締め付け器具の第１の端部を前記ロック器具の方に引き寄せることを含むことを特徴とする請求項３７に記載の方法。
【請求項３９】
前記ロック器具を前記少なくとも１つの弓状部分の第１の端部に掛合する前記手順が、前記少なくとも１つの弓状部分の第１の端部に一体成形されたフックで連結することを含むことを特徴とする請求項３５に記載の方法。
【請求項４０】
身体の一部を流れる及び身体の一部から流れ出る血流を制限するための圧力制御装置であって、
治療のために前記圧力制御装置を前記身体の一部に取り付けるための取り付け手段と、
治療のために前記圧力制御装置を前記身体の一部に締め付けるために、前記取り付け手段に装着された締め付け手段と、
治療のために前記圧力制御装置を前記身体の一部に固定するために、前記締め付け手段に機能的に接続されたロック手段とを備える装置。
【請求項４１】
前記取り付け手段が、凹凸を備えた内側表面及び一方の端部にフックを有する弓状部分を含むことを特徴とする請求項４０に記載の圧力制御装置。
【請求項４２】
前記締め付け手段が、主要な締め付け器具及び補助的な締め付け器具を含むことを特徴とする請求項４０に記載の圧力制御装置。
【請求項４３】
前記主要な締め付け器具が、メカニカルアドバンテージを有する動力装置を含むことを特徴とする請求項４２に記載の圧力制御装置。
【請求項４４】
前記補助的な締め付け器具が、細長いストラップを含むことを特徴とする請求項４２に記載の圧力制御装置。
【請求項４５】
前記ロック手段が、ロック器具及び傾動可能なロックレバーを含むことを特徴とする請求項４０に記載の圧力制御装置。
【請求項４６】
前記ロック手段がバックルを含むことを特徴とする請求項４０に記載の圧力制御装置。
【請求項４７】
付属肢を流れる及び付属肢から流れ出る血流を制限するための止血帯であって、
前記付属肢に取り付けるための、第１の端部及び反対側の第２の端部を有するベースと、
前記付属肢にかかる前記止血帯の圧力を調節する、前記ベースに取り付けられているメカニカルアドバンテージを有する動力装置と、
前記止血帯を前記付属肢に対して周方向に締め付けるために、少なくとも前記ベースの一部に配置される細長いストラップと、
前記付属肢を囲む止血帯を閉じるための、前記ベースに取り付けられているロック器具とを備えることを特徴とする止血帯。
【請求項４８】
付属肢を流れる及び付属肢から流れ出る血流を制限するための止血帯であって、
前記付属肢に取り付けるための、第１の端部と反対側の第２の端部を有するＣ形クリップと、
前記付属肢にかかる前記止血帯の圧力を調節する、前記Ｃ形クリップに取り付けられているメカニカルアドバンテージを有する動力装置と、
前記止血帯を前記付属肢に対して周方向に締め付けるために、前記Ｃ形クリップの少なくとも一部に配置されている細長いストラップと、
前記付属肢を囲む止血帯を閉じるための、前記Ｃ形クリップに機能的に接続されているロック器具とを備えることを特徴とする止血帯。
【発明の詳細な説明】
【技術分野】
【０００１】
本発明は、改良された締め付け方法を有する止血帯に関し、付属肢に圧縮力を加えるメカニカルアドバンテージを提供することに関する。
【０００２】
本願は、出願人による同時係属の米国仮出願番号６０／５０９，９１７「メカニカルアドバンテージを有する止血帯」と題する２００３年１０月１０日付け出願、及び同時係属の米国仮出願「メカニカルアドバンテージを有する止血帯ＩＩＩ」と題する２００４年１０月４日付け出願に優先することを主張する。これらの特許出願をあらゆる面に於いてここに言及したことで本願の一部となす。
【背景技術】
【０００３】
止血帯は緊急の際、付属肢の大動脈を流れる及び大動脈から流れ出る血流を一時的に制御する装置であり、付属肢への血液供給をある時間遮断する。主に応急処置またはトリアージに用いられるが、止血帯は医療施設での外科手術に使用されても良い。
【０００４】
止血帯の効力を生ずるには、付属肢への動脈血流を停止するべく十分に締め付けられなければならない。しかしながら、止血帯はしばしば個人による応急処置に使用されるが、止血帯を使用しなければならないという知識を有しながらも、適切に止血帯を使用し、効果的に血流を制限する医療レベルの経験は有していない。多くの緊急事態において、止血帯は即席の治療方法であり、布生地を用いて負傷した付属肢を縛りつける。個人が止血帯を使用する及び／または受け取る時の気持ちは、ショック、不安及び絶望を含んでいるかもしれない。更に環境条件が、雨、雪、砂嵐、または風塵等であれば、止血帯を負傷した付属肢に使用し得る際の能率にも影響する。
【発明の開示】
【課題を解決するための手段】
【０００５】
本発明は、新しい形式の止血帯に関しており、屋外または医療施設での緊急医療に使用する。本発明は、持続した圧力を心臓と負傷部の間の付属肢に加えることによって、心臓と負傷した付属肢の間の血流を停止または制限する。本発明の一実施態様は、本発明の使用者が、例えば、ハイカー、またはバックパッカー、登山者、船員、自動車事故または労働災害または自然災害の犠牲者、または戦場の兵士、及び特有の環境条件及び身体障害であるかもしれないことを考慮し、これらの人々が負傷した時に使用するかもしれないことを考慮する。
【０００６】
例として兵士が使用する場合、過度のプレッシャー及び／またショックな状況下にある兵士に必要とされるので、メカニカルアドバンテージを有する止血帯は迅速かつ容易に装着できるようにデザインされ、できる限り片手で、約５秒以内に自分で止血帯を迅速に装着し、締め付ける必要がある。装置は途切れのないストラップであり、片足または両足を罠にはめられている、または進行を妨害されているかもしれない兵士が戦場で使用可能なようにあらかじめ輪にはなっていない。本発明のメカニカルアドバンテージを有する止血帯のバイオニクスは、更に効率的かつ効果的に負傷した付属肢を圧縮し、それによって一時的に血流を停止する。
【０００７】
本発明の止血帯は、軽量で持ち運び可能であり、兵士の軍服のポケットに入れて運ばれ得り、衰弱及び／または負傷した兵士が戦場や戦闘状況下でも取り付けられるようにデザインされている。例として、兵士は手袋を着けていても止血帯を取り付けでき、雨及び雪用の服装の上から取り付けても効果がある。更に止血帯は発光性のマーキングを有することができ、夜または暗い環境下でも取り付けやすくする。また止血帯は必要なものを内蔵しており、追加の部品またはアセンブリを必要としない。更に止血帯は天候状態が悪くても、容易かつうまく身体に取り付け得り、例えばその悪い天候状態とは、少なくとも華氏４０度から華氏１２５度の範囲の極端な温度差、氷、雪、雨、泥、海の内外、砂及びほこりが舞っている、及びその他の障害のある環境等である。止血帯は消費者製品向け衝撃試験の全ての基準にも耐え得る。
【０００８】
本発明は、身体の一部を流れる及び身体の一部から流れ出る血流を制限するための止血帯または圧力制御装置を含み、装置は少なくとも１つの弓状部分を含み、それはベースまたは身体の一部に取り付けるための例えばＣ形クリップであり得る。弓状部分は第１の端部及び反対側の第２の端部を有する。主要な締め付け器具は、メカニカルアドバンテージを有する動力装置を含み、少なくとも１つの弓状部分に取り付けられても良く、身体の一部にかかる装置の圧力を調節する。補助的な締め付け器具即ち幅広のストラップは、少なくとも弓状部分の一部に配置され得り、装置を身体の一部に対して周方向に締め付ける。ロック器具は弓状部分に取り付けられることによって、装置を身体の一部の周囲に確実に閉じることが出来る。
【０００９】
主要な締め付け器具は、メカニカルアドバンテージを有する動力装置を含み、出力を生成するために必要とされる入力を最小限にしながら、出力を増幅することができる。そのようなメカニカルアドバンテージを有する動力装置は、滑車、紐を通す孔列、紐を掛ける柱列、糸巻き、歯車、レバー、ホイール、及びカムを含んでいるが、これらに限定されるわけではない。
【００１０】
本発明はまた、圧力制御装置によって身体の一部を流れる及び身体の一部から流れ出る血流を制限する方法を含んでいる。装置は少なくとも１つの弓状部分を有し、身体の一部に据え付け即ち取り付けられ得る。１つの弓状部分は後端部及び前端部を有し、主要な締め付け器具は前端部に固定され得り、補助的な締め付け器具は後端部に固定され得る。主要な締め付け器具は、身体の一部にかかる装置の圧力を調節する。補助的な締め付け器具は、装置を身体の一部の周囲に締め付ける。ロック器具は身体の一部の周囲にある装置を閉じ、弓状部分に取り付けられている。この方法は以下のことを含んでいる。治療のために弓状部分及び補助的な締め付け器具を身体の周囲に配置し、補助的な締め付け器具をロック器具に通し、少なくとも１つの弓状部分の第２の端部上または少なくとも１つの弓状部分の第２の端部をあらかじめ通した締め付け器具の掛合上で片手での装着を可能にし、ロック器具を少なくとも１つの弓状部分の第２の端部の外端部で留めるべく取り付け、補助的な締め付け器具を少なくとも１つの弓状部分に接する方向に、補助的な締め付け器具が身体の一部にきつく締まるまで引っ張り、ターンキーを水平位置から垂直位置に起こし、ターンキーを所定の方向に、主要な締め付け器具が回転出来なくなるまで回転し、ターンキーを水平位置に折り畳む。
【００１１】
本発明は更に、身体の一部を流れる及び身体の一部から流れ出る血流を制限する圧力制御装置を含み、治療のために身体の一部に圧力制御装置を取り付けるための取り付け手段を有している。締め付け手段は、治療のために身体の一部に圧力制御装置を締め付けるため、取り付け手段に取り付けられている。ロック手段は、治療のために身体の一部に圧力制御装置を固定するため、締め付け手段に動作可能に接続されている。
【発明を実施するための最良の形態】
【００１２】
図１は本発明の第１の実施態様に基づくメカニカルアドバンテージを有する止血帯１０の側面図である。図１に示されるように、止血帯１０はメカニカルアドバンテージを有する動力装置８、弓状部分またはベース２、ストラップ１２、及びロック器具２０を含んでいる。
【００１３】
ベース２は第１の端部４及び第２の端部６を有し、止血帯１０を負傷した付属肢に取り付ける取り付け手段としての役割を果たす。ベース２はフレキシブルな材料から形成されても良く、アセタールやナイロンのような高分子材料を含むが、これらに限定されるわけではない。
【００１４】
ストラップ１２は幅広のストラップのような細長い器具であり、様々なフレキシブルな好適材料から形成されても良く、その中にはナイロンを含んでいるが、これに限定されるわけではない。ストラップ１２はベース２の第１の端部４から延在し、負傷した付属肢の周囲を通されて、ロック器具によって所定の位置でロックされる。ストラップ１２は、メカニカルアドバンテージを有する動力装置８と共に、負傷した付属肢に止血帯を締め付けるための締め付け手段としての役割を果たす。
【００１５】
図１はメカニカルアドバンテージを有する動力装置８を示し、出力を生成するために必要とされる入力を小さくする一方で、出力を増幅できる。従って、メカニカルアドバンテージを有する動力装置８は、様々なサイズの使用者が、簡単かつ手軽に調節し、最小の努力で止血帯を付属肢に締め付けることを可能にする。動力装置８はメカニカルアドバンテージを使った張力を生成し、ひとたびストラップ１２が付属肢を一周するときつく引っ張られ、ロック器具２０によって所定の位置でロックされ、付属肢への血液供給を遮断する。図１に示されるように、メカニカルアドバンテージを有する動力装置８は、ベース２の第１の端部４と第２の端部６の間に取り付けられる。動力装置８は、負傷した付属肢に制御された圧力を加えるべくデザインされた構成要素を有し、それによって付属肢の負傷部を流れる及び負傷部から流れ出る血流を制限する。構成要素は全体がベース２の外側表面に形成される段のついた軌道３４、軌道３４上に配置され第１の端部４で複数の柱２６ａ、２６ｂを有する少なくとも１つのプラテン２４、巻き紐２８、ウィンチ即ち紐巻き取り器具４２、及びターンキー１６を含んでいる。ウィンチ４２はベース２の第２の端部６に配置され、ターンキー１６は図１及び図２において折り曲げてロックされた位置に示されており、ウィンチを回転させるためにウィンチ４２に傾動可能に取り付けられている。段のついた軌道３４は、ベース２のプラテン２４がベース２の外辺部に沿って摺動することを可能にする。
【００１６】
プラテン２４は様々な高分子材料から形成されて良く、アセタール及びナイロンを含むが、これらに限定されるわけではない。プラテン２４はストラップ１２の１つの端部をベース２の第１の端部４でしっかりと固定する。直線的に配置された柱２６ａの第１のセットは、プラテン２４から突き出し、編まれたまたは織り合わされた巻き紐２８を固定する。柱の第２のセットはベース２に直接固定または第２のプラテン２４から突き出しても良く、紐２８のガイドを提供する。巻き紐２８は、柱２６ａ、２６ｂ及びウィンチ４２の周囲に巻きつけられ、図２で示されるように、蛇行してウィンチ４２の開口部に通される。ターンキー１６を回転し、ウィンチ４２を回転させると紐２８がウィンチの周囲に巻きつき、紐２８がプラテン２４及びウィンチ４２の間に張力を加え、それによって止血帯を付属肢に締め付けるメカニカルアドバンテージを提供する。
【００１７】
ターンキー１６は様々な形状を有することが出来、使用者が指で簡単につかめ、例えば図２で示されるようなＤリング型のハンドルを含む。ターンキー１６は３６０度の回転と９０度の傾動が可能である。
【００１８】
図１及び図２で示されるロック器具２０は、ベース２に傾動可能に、ベース２の反対面に取り付けられている１組のヒンジ（図示なし）によって接続される。ロック器具２０は、付属肢にかかる圧力が所望のレベルに到達する所定の位置で、ウィンチ４２をロックする役割を果たす。ロック器具２０は、ストラップ１２を止血帯に所定の位置でロックする手段としての役割も果たす。ロック器具２０は、一方の端部がリング形状及び反対側の端部がロックレバーを有するように形成される。ロックレバー２２は、ベース２の第２の端部６の横軸に機能的に接続され、ロック器具２０のロックレバー２２は、図１に示されるように、ベース２の第２の端部６で留めたり、外したりすることが出来ても良い。ストラップ１２の自由端１８は、ロック器具２０のリング部分を通されても良く、ストラップ１２の上に折り返されても良く、ストラップが付属肢に堅くしっかりと固定される位置まで引っ張られても良い。そしてストラップ１２は、ロックレバー２２を下向きに傾動することによって、止血帯を所定の位置でロックし得る。
【００１９】
保護用のアコーディオン型のベローズ１４は、図１に示されるように、動力装置８の摺動プラテン２４、紐２８、柱２６ａ、２６ｂ及びウィンチ４２を覆う。ベローズ１４はフレキシブルであり、プラテン２４の摺動に基づいて、少なくとも止血帯の長手方向に伸縮可能である。ベローズ１４は、ネオプレンのような高分子材料から形成され得る。
【００２０】
図２に示されるように、ストラップ１２は、動力装置８及びターンキー１６に接続される。ストラップ１２は、幅が約１インチから２．５インチ、長さが３０インチ以上の幅広なストラップであっても良い。単なる例として、ストラップはナイロンまたは様々な好適な高分子材料で作られて良く、少なくとも一方にリブを有し、動力装置に対してストラップを所定の位置に固定する。ストラップ１２の自由端１８は、フィード部または把持部を含むことが可能であり、使用者がストラップ１２をしっかりと把持し得る。ナイロンストラップを、繊維が溶解される温度まで加熱することにより、把持部が形成される。
【００２１】
本発明の第１の実施態様に基づく、負傷した付属肢を流れる及び負傷した付属肢から流れ出る血流を制限する方法の一例は、以下のことを含んでいる。付属肢にベース２を配置し、ストラップ１２で付属肢を囲み、ストラップ１２の自由端１８をロック器具のリングに通し、ストラップ１２が付属肢にきつく固定されるまで、ゆっくりと、しっかりと引き、ロックレバー２２をストラップ１２の自由端１８上に下向きに傾動し、ストラップを所定の位置で固定し、ターンキー１６を直立位置に傾動し、ベース２に対して垂直になるようにし、ターンキー１６を時計方向に回し、それによって紐２８がプラテン２４及びウィンチ４２の間で伸長し、ターンキー１６を、即ちウィンチを回転できなくなるまで回転する。結果として、付属肢にかかる圧力は増加される。その後にターンキー１６は水平位置に傾動されて良い。ロック器具２０をウィンチ４２上に折り畳むのは、ウィンチが偶発的に回転することを防止するためである。
【００２２】
付属肢にかかる圧力を解放する、または止血帯を取り外す一例は、以下のことを含んでいる。動力装置８内の紐２８を、ロック器具２０を引き起こすことによって緩ませ、結果としてウィンチを解放させ、ターンキー１６を水平位置から直立位置に傾動してベースに対して垂直にし、ターンキーの下方にあるウィンチ４２を逆方向に回転させるべくターンキー１６を反時計回りに回転し、プラテン２４及びウィンチ４２の間の紐を緩め、それによって付属肢にかかる圧力を解放し、ストラップ１２の自由端１８をロック器具のリングの方に摺動する。結果として止血帯１０は付属肢上で調節されても良く、付属肢から取り外されても良い。本発明による止血帯は再利用でき、取り外し、弛緩、及び取り付けが可能である。
【００２３】
図３から図６は、本発明の第２の実施態様に基づいたメカニカルアドバンテージを有する止血帯１１０を示しており、負傷した付属肢に制御された圧力を加え、それによって負傷部を流れる及び負傷部から流れ出る血流を制限するようにデザインされた構成要素を含んでいる。上記に記載したように、メカニカルアドバンテージとは、出力を生成するのに必要とされる入力を減らす一方で、出力を増幅できる装置である。図３はメカニカルアドバンテージを有する止血帯１１０を示しており、負傷した付属肢に装着され得る。止血帯１１０は弓状部分即ちＣ形クリップ１０２を含み、メカニカルアドバンテージを有する動力装置１０８が取り付けられ、メカニカルアドバンテージを発生させる締め付けターンキー１１６、メカニカルアドバンテージを解除させるリリースボタン１３０、ストラップ１１２、及びロック器具１２０を含んでいる。
【００２４】
シュラウド１１４は図３に示されるように袖状の器具で、Ｃ形クリップ１０２の外側表面の周囲に伸び、動力装置１０８への異物の侵入を防止する防壁としての機能を果たす。シュラウド１１４は内側部分が外側部分より短くなるように径方向に切り込みを入れても良く、シュラウドの本体を弓形形状に添わせる。シュラウド即ちカバー１１４は、メカニカルアドバンテージを有する動力装置１０８の部分上に配置され、締め付けターンキー１１６は露出されたままである。追加的なメカニカルアドバンテージを有する構成要素が、シュラウド１１４の下に配置されるが、それについては以下に記載される。
【００２５】
メカニカルアドバンテージを有する動力装置１０８は、ひとたび付属肢を囲んでいるストラップ１１２がしっかりと引っ張られ、ロック器具１２０によって所定の位置でロックされると、メカニカルアドバンテージを使った張力を生成し、付属肢に供給される血液を遮断する。ストラップ１２は、メカニカルアドバンテージを有する動力装置１０８と共に、負傷した付属肢に止血帯を締め付けるための締め付け手段としての役割を果たす。
【００２６】
図３に示されるように、Ｃ形クリップ１０２は付属肢に配置される。ストラップ１１２はＣ形クリップ１０２の裏側端部から伸び、付属肢周囲を囲み、Ｃ形クリップ１０２の前側端部でロック器具１２０に留める。Ｃ形クリップについて、ここからは図４から図６を参照して述べられる。
【００２７】
図４は、本発明の第２の実施態様に基づくＣ形クリップ１０２の側面図を示すものである。Ｃ形クリップ１０２は、メカニカルアドバンテージを有する止血帯１１０の最内部であり、血流を制限しようとする付属肢または身体の一部に直接接触する。そのためＣ形クリップ１０２は、負傷した付属肢に止血帯１１０を取り付けるための取り付け手段としての役割を果たす。Ｃ形クリップはフレキシブルで、様々な方法で作られて良く、例えば、高分子材料の射出成形等を含んでいる。高分子材料は、アセタール、ナイロン、ポリプロピレン、及びポリエチレン等が含まれるが、これらに限定されるわけではない。またＣ形クリップは、周方向に開口した後に常態に戻ることができるような弾性記憶を有する材料から作られても良い。そのフレキシブルさ及び弾性のため、Ｃ形クリップは様々なサイズの付属肢にフィットさせることが出来る。図４及び図５に示されるように、Ｃ形クリップはフック１００を含み、Ｃ形クリップ１０２の前面端部に戻り止め１２２を有している。Ｃ形クリップのフック１００はフレアー形状であり、製造時のホットスポットを緩和する。Ｃ形クリップ１０２は突起１３６も有し、付属肢の表面を掴むために凹凸を設けた内面部を形成する。ストラップガイド１５０は、Ｃ形クリップ１０２の外側表面に沿って取り付けられ、ストラップ１１２をＣ形クリップの裏側端部から前側端部に導く。
【００２８】
締め付けターンキー１１６は、図４及び図５において直立位置で示されており、ウィンチ即ち紐巻き取り装置１４２に固定される。ターンキー１１６を回転することによってウィンチ１４２を回転させ、プラテン１２４からウィンチ１４２に伸びる巻き紐に張力を加え、それによって付属肢上の止血帯１１０を締め付けるためのメカニカルアドバンテージを提供する。ターンキー１１６はコンパクトに収納するために折り畳み、止血帯を締め付けるまたは緩める手段として回転するために跳ね上げる。ターンキー１１６は半月形状または半円形状を有しても良く、また使用者がターンキーを容易に把持し、回転することを可能とする様々なその他の形状を有しても良い。更にターンキー１１６は、リブまたは粗い面を有する把手表面を含むことができ、使用中に使用者の指がターンキーから滑ることを防止する。
【００２９】
図６は本発明の第２の実施態様に基づくＣ形クリップ１０２の側面図を示すものである。メカニカルアドバンテージを有する動力装置１０８は、プラテン１２４、リリースボタン１３０及びウィンチ１４２を有し、図示されているようにＣ形クリップ１０２に取り付けられている。ウィンチ１４２及びリリースボタン１３０は、ハウジング１４０ａの中に配置され、Ｃ形クリップ前部に一体成形される。ハウジング１４０ａはハウジングカバー１４０ｂを有している。
【００３０】
動力装置１０８の構成要素を含むハウジング１４０ａ内部の典型的な例が図７に示されている。ハウジング１４０ａ内の動力装置１０８は、ウィンチ１４２及びつめ１４６を含む歯止め装置を有している。ウィンチ１４２は付属肢上の止血帯全体を締め付ける役割を果たす。ウィンチは、プーリーシステムを締め付ける際に起こり得る、過剰巻き上げ、紐のもつれ及び破損を防止する。ウィンチ１４２は、複数個の角度がついた歯を有し、歯に接して配置されているつめ１４６と噛合させる。つめ１４６は、ウィンチの回転を一方向にのみ可能にする。従って、ターンキー１１６が回転される時、ウィンチ１４２は、つめが歯を避けて摺動できる所定の方向に回転する。ウィンチが逆方向に回転しようとした場合、つめ１４６がウィンチ１４２の歯を捕らえる。
【００３１】
動力装置１０８の紐１２８を緩め、それによって付属肢にかかる圧力を低減させるため、使用者はリリースボタン１３０を押すまたは摺動することができ、つめ１４６とウィンチ１４２の歯との噛合を解除する。従って、ウィンチが逆方向に回転しても、つめ１４６はウィンチの歯を捕らえない。図１１はハウジング１４０ａ、１４０ｂから延在するボタンを示し、つめ１４６がウィンチ１４２と噛合され、止血帯を締め付けるメカニカルアドバンテージを提供することを示している。
【００３２】
図８及び図９は、動力装置１０８の構成要素をＣ形クリップ１０２の後端部に添って示している。これらの構成要素は、Ｃ形クリップ１０２の外側表面に一体成形された段のついた軌道１３４を含み、Ｃ形クリップ１０２の後側表面で軌道１３４に取り付けられているプラテン１２４が、そこで摺動することを可能にする。プラテン１２４は、様々な高分子材料から形成されて良く、ナイロン及びアセタールなどを含むが、これらに限定されるわけではない。プラテン１２４は、図９に示されるようにクロスバー１３２を有し、ストラップ１１２をＣ形クリップ１０２の後端部に取り付け、複数の孔１２６に１組の織り合わされたまたは編まれた紐１２８が、縫うように通される。本発明による紐１２８は摩擦が少ないので、高比強度を有するポリエステル混合物であっても良い。紐１２８はプラテン１２４からハウジング１４０ａ、１４０ｂに隣接してＣ形クリップに取り付けられている１組のボスの間を縫うように通される。ボスは、ハウジングカバー１４０ｂをハウジング１４０ａに取り付ける役割を果たす。紐１２８は蛇行して、プラテン１２４、ボス及びハウジング内のウィンチ１４２の間を通される。紐１２８は開口部１４４を通ってハウジングに進入し、ウィンチが回転される時、ウィンチの本体周囲に巻かれる。ハウジングカバー１４０ｂは、紐１２８がウィンチ１４２を遊走するまたは外れることを防止する。
【００３３】
Ｃ形クリップ１０２が配置される時、シュラウド１１４は、一方の端部がストラップガイドの溝１５２に、もう一方の端部がハウジング１４０ａ、１４０ｂ及びフック１００の間の溝１５４に伸縮自在に固定される。
【００３４】
止血帯を閉じるため、ストラップ１１２がＣ形クリップ１０２の周囲を、ストラップガイド１５０に通してＣ形クリップ１０２の前端部に配置されるフック１００まで引っ張られる。ロック器具１２０は、ストラップ１１２の端部に取り付けられ、機能的にフック１００に接続される。ストラップ１１２は付属肢上及び付属肢周囲にメカニカルアドバンテージを有する止血帯１１０全体を締め付ける。ストラップ１１２は約１インチから２．５インチの幅で、３０インチ以上の長さであっても良く、異なったサイズの人々の、全ての付属肢に止血帯を使用するのに十分な長さである。
【００３５】
ロック器具１２０をフック１００で締めることによって、Ｃ形クリップ１０２の端部が連結され、メカニカルアドバンテージを有する止血帯を閉じる。ロック器具１０２は、様々な既知即ち現在販売されているはしご型バックル、例えばバックパックに使われているようなものを含み得る。従ってロック器具１２０は、ストラップが付属肢上で調節されることを可能にし、ストラップ１１２をフック１００から外す必要がない。ロック器具１２０は、付属肢の所定の位置でストラップを固定するためのロック手段としての役割を果たす。
【００３６】
リリースボタン１３０は、シュラウド１１４に成形されている押し込み式の戻り止めを含み、元の位置に戻る安全装置を有している。リリースボタン１３０は、ハウジング１４０ａの側面からの突き出しを最小にして配置され得り、ウィンチ１４２の偶発的な解放を抑制する。
【００３７】
図１０は、本発明の第２の実施態様に基づくハウジングカバー１４０ｂ及びリリースボタン１３０の典型的な上面図を示している。リリースボタン１３０がハウジングから突き出し、つめがウィンチ１４２と噛合されていることを図示している。
【００３８】
図１１は、ボタン１３０がプラテンの方向に押され、または摺動され、つめがウィンチ１４２から解放され、止血帯が緩み得ることを図示している。
【００３９】
図１２は、つめ１４６がウィンチ１４２と噛合されている別の典型的な図を示し、図１３は、つめ１４６がウィンチから解放される更にまた別の典型的な図を示している。
【００４０】
本発明の第２の実施態様に基づく身体の一部を通る血流を制限する方法の例は、以下のことを含んでいる。Ｃ形クリップ１０２及び細長いストラップ１１２を付属肢の周囲に配置し、ロック器具１０２を第１の端部を有する装置、すなわちＣ形クリップ１０２のフック１００に噛み合わせ、ストラップ１１２をＣ形クリップ１０２の表面に接する方向に、ストラップが身体の一部にしっかりと固定されるまで引っ張り、ターンキーを折り畳んだ即ち水平位置から直立位置に起こし、シュラウド及びＣ形クリップの平面に対して垂直にし、ターンキーを所定の方向に回転する。ターンキー即ちウィンチ１４２を回転できなくなるまで回転するということは、付属肢に最大の圧力が加えられていることを示す。そしてターンキーを水平位置に折り畳む。
【００４１】
付属肢にかかる圧力を変化させる即ち解放させる方法は、以下のことを含んでいる。つめ１４６をウィンチ１４２との噛合から解放するべくリリースボタンを押し、ターンキー１１６を反対方向に回転し、ストラップ１１２及びフック１００と掛合されているロック器具１２０を緩める。すなわち、ロック器具１２０をフック１００から外すことによってストラップ１１２が緩み、付属肢にかかる圧力を解放する。ストラップの中間部を締め付け方向に対して反対方向に引っ張ることで、更に止血帯を付属肢から緩める。
【００４２】
止血帯１０、１１０は耐候性であり、ネオプレンのベローズ及びシュラウドは、異物などが動力装置に侵入することを防止するべくデザインされている。ネオプレンのベローズ及びシュラウドは、動力装置に侵入できる水量を制限し、それによって止血帯が水中に沈没しないように耐えることを可能とする。止血帯は使用に好適な様々な色であり得る。例えば、止血帯は迷彩柄に彩色されても良く、例えば砂漠環境で使用される軍服に調和するベージュ及び茶色、またはジャングルや森林で使用される軍服に調和する黒、オリーブ及び緑色等である。止血帯は少なくとも一部が救急救命士または救急医療に好適な色を有しても良く、例えば蛍光性の橙色または蛍光性の黄色等を使用する。加えて、止血帯全体または構成要素の１つが、暗いところでも見やすくするべく発光性の塗料でコーティングされても良い。
【００４３】
本発明に付いて特殊な実施態様について記述してきたが、これらは例示的なものであって、本発明をこれに限定するものではない。この他にも多くの変化及び変更があることは当業者には明らかである。
【図面の簡単な説明】
【００４４】
【図１】本発明の第１の実施態様に基づく止血帯を示す側面図である。
【図２】本発明の第１の実施態様に基づく、止血帯のメカニカルアドバンテージを有する動力装置を示す上面図である。
【図３】本発明の第２の実施態様に基づく、付属肢に装着されている止血帯を示す上面斜視図である。
【図４】本発明の第２の実施態様に基づく止血帯で、Ｃ形クリップ器具を示す側面図である。
【図５】本発明の第２の実施態様に基づく止血帯で、Ｃ形クリップ器具を示す前面斜視図である。
【図６】本発明の第２の実施態様に基づく止血帯で、Ｃ形クリップ器具及びメカニカルアドバンテージを有する動力装置全体及び付随するプラテンを示す側面図である。
【図７】本発明の第２の実施態様に基づく、メカニカルアドバンテージを有する動力装置を示す典型的な内面図である。
【図８】本発明の第２の実施態様に基づく止血帯のＣ形クリップ器具で、メカニカルアドバンテージを有する動力装置の構成要素を示す典型的な上後面斜視図である。
【図９】本発明の第２の実施態様に基づく止血帯で、Ｃ形クリップ器具上のメカニカルアドバンテージを有する動力装置の構成要素を示す典型的な後面図である。
【図１０】本発明の第２の実施態様に基づくメカニカルアドバンテージを有する動力装置で、ハウジング及びリリースボタンを示す典型的な上面図である。
【図１１】本発明の第２の実施態様に基づくメカニカルアドバンテージを有する動力装置で、ハウジング及びリリースボタンを示す典型的な上面図である。
【図１２】本発明の第２の実施態様に基づくメカニカルアドバンテージを有する動力装置で、典型的なウィンチ及び噛合されたつめの配置を示す図である。
【図１３】本発明の第２の実施態様に基づくメカニカルアドバンテージを有する動力装置で、典型的なウィンチ及び解放されたつめの配置を示す図である。
【図１】
2007508047.tif 000003
【図２】
2007508047.tif 000004
【図３】
2007508047.tif 000005
【図４】
2007508047.tif 000006
【図５】
2007508047.tif 000007
【図６】
2007508047.tif 000008
【図７】
2007508047.tif 000009
【図８】
2007508047.tif 000010
【図９】
2007508047.tif 000011
【図１０】
2007508047.tif 000012
【図１１】
2007508047.tif 000013
【図１２】
2007508047.tif 000014
【図１３】
2007508047.tif 000015
【国際調査報告】
2007508047.tif 000016